(57)【特許請求の範囲】
【請求項１】
傾斜状に配置される２本の桁材間にパネルを配設してなり、前記桁材には長手方向に排水溝が形成された組立屋根において、
前記排水溝には下面に排水口が形成されると共に、該排水口の下側近傍に排水溝と略同幅の止水部品が設けられ、該止水部品は前記排水溝の下面から所定間隔浮いた状態で取付けられてなることを特徴とする組立屋根。
【請求項２】
前記桁材は地面に対して水平に配置される水平桁材に連結され、該水平桁材は前記桁材の排水溝と連続状となる水平排水溝を有し、該水平排水溝の下面には水平部排水口が形成されることを特徴とする請求項１記載の組立屋根。
【請求項３】
前記止水部品と前記排水溝の下面との所定間隔は前記止水部品の排水口側面に水を堰き止められる隙間となるように設定されることを特徴とする請求項１または２記載の組立屋根。
【発明の詳細な説明】
【技術分野】
【０００１】
本発明は、傾斜地に設けられる渡り廊下等を構成する組立屋根に関し、特に桁材に設けられる排水溝に水を残さないようにした組立屋根に関する。
【背景技術】
【０００２】
従来から、渡り廊下等の簡易建築物の屋根として組立屋根が用いられている。組立屋根は、２本の桁材間にそれらをまたぐように垂木を複数取付け、各垂木間にアクリル板等のパネルを配設して構成されるものである。このような組立屋根としては、例えば特許文献１に挙げるようなものがある。
【特許文献１】特開平８−１５８６７９号公報
【０００３】
このような組立屋根は、傾斜地に対して設けられる場合がある。この場合、傾斜地に沿って支柱が設けられ、それに傾斜状とした組立屋根を支持させて渡り廊下が形成される。ここで、組立屋根を構成する桁材には、組立屋根の上面に降った水を導く排水溝が長手方向に沿って形成されており、その下面の適所には排水口が形成される。排水溝に導かれた水は、排水口から連通する雨樋や排水管に導かれ、外部に排水される。
【発明の開示】
【発明が解決しようとする課題】
【０００４】
傾斜状に設けられた組立屋根の排水溝では、そのままでも水が下方に向かって流れるため、排水口に流れきれなかった水は組立屋根の下方部に向かって累積状に増加しつつ流れる。これを防止して所定位置の排水口で水を外部に向かって流すため、排水口の下側近傍には止水部品が設けられ、これによって水を堰き止めて確実に排水口から水を流すようにしている。
【０００５】
しかし、止水部品は排水口の下流側において排水溝を塞ぐように設けられるために、雨が止んで排水溝を水が流れない状態となっても、止水部品に堰き止められた部分には僅かに水が残ることとなる。このように排水溝内に水が残ったままであると、部品の劣化や水漏れ等が生じることがあり好ましくない。
【０００６】
本発明は、上記課題を解決すべくなされたものであり、傾斜状に設けられた場合に所定の排水口から確実に水を流しつつ、排水溝に水が残らないようにした組立屋根を提供することを目的とする。
【課題を解決するための手段】
【０００７】
上記課題を解決するため、本発明に係る組立屋根は、傾斜状に配置される２本の桁材間にパネルを配設してなり、前記桁材には長手方向に排水溝が形成された組立屋根において、
前記排水溝には下面に排水口が形成されると共に、該排水口の下側近傍に排水溝と略同幅の止水部品が設けられ、該止水部品は前記排水溝の下面から所定間隔浮いた状態で取付けられてなることを特徴として構成されている。
【０００８】
また、本発明に係る組立屋根は、前記桁材は地面に対して水平に配置される水平桁材に連結され、該水平桁材は前記桁材の排水溝と連続状となる水平排水溝を有し、該水平排水溝の下面には水平部排水口が形成されることを特徴として構成されている。
【０００９】
さらに、本発明に係る組立屋根は、前記止水部品と前記排水溝の下面との所定間隔は前記止水部品の排水口側面に水を堰き止められる隙間となるように設定されることを特徴として構成されている。
【発明の効果】
【００１０】
本発明に係る組立屋根によれば、排水溝の排水口の下側近傍に排水溝と略同幅の止水部品が設けられ、止水部品は排水溝の下面から所定間隔浮いた状態で取付けられてなることにより、止水部品により水を堰き止めて排水口に導きつつ、止水部品と排水口の下面との間の隙間から水を下方に流すことができるので、排水溝に水が流入しなくなった後、この部分に水が溜まるのを防止することができる。
【００１１】
また、本発明に係る組立屋根によれば、桁材は地面に対して水平に配置される水平桁材に連結され、水平桁材は桁材の排水溝と連続状となる水平排水溝を有し、水平排水溝の下面には水平部排水口が形成されることにより、止水部品と排水溝の下面との隙間から下方に流れた水を、水が溜まることのない水平部分の排水口から排水することができる。
【００１２】
さらに、本発明に係る組立屋根によれば、止水部品と排水溝の下面との所定間隔は止水部品の排水口側面に水を堰き止められる隙間となるように設定されることにより、止水ブロックによって確実に水を堰き止めて、水を排水口に導くようにすることができる。
【発明を実施するための最良の形態】
【００１３】
本発明の実施形態について図面に沿って詳細に説明する。本実施形態では、本発明を適用した組立屋根を用いた渡り廊下屋根について説明する。図１には、本実施形態における組立屋根を用いた渡り廊下屋根の正面図を、図２には、渡り廊下屋根の側面図を、それぞれ示している。これら各図に示すように、本実施形態における渡り廊下屋根は、組立屋根１を傾斜した地面に沿って左右両側に立設される支柱２によって支持してなるものである。
【００１４】
組立屋根１は、支柱２に対して固定される桁材１０を左右２本有し、２本の桁材１０間に湾曲した垂木１１を複数懸架すると共に、各垂木１１間にアクリル板からなるパネル１２を設けて中央部を頂点に湾曲した平面状に構成してなるものである。また、中央部は傾斜地面に合わせて傾斜配置されると共に、両端部は水平地面に合わせて水平状とされている。このため、組立屋根１の角度が変化する部分については、異なる角度の桁材１０を連結して構成しており、水平部分については水平桁材１５を設けている。また、異なる角度の桁材１０の連結部分には、それぞれ垂木１１も連結され、桁材１０の傾斜角度毎にパネル１２が配設されるようになっている。
【００１５】
組立屋根１上に降った雨は左右両側の桁材１０または水平桁材１５に向かって流れ、桁材１０に設けられる排水溝１０ａ及び水平桁材１５に設けられる水平排水溝１５ａに導かれる。ここで、排水溝１０ａと水平排水溝１５ａは連続状となっている。さらに、排水溝１０ａ及び水平排水溝１５ａは、雨樋２０及び支柱２に設けられる排水管２１に連通しており、雨水はこの経路で外部に排水される。排水管２１は、組立屋根１が傾斜している領域においては、下側の支柱２に対して設けられており、これに対応してその近傍の排水溝１０ａの下面には排水口１０ｂが形成され、さらに排水口１０ｂと排水管２１とを繋ぐ雨樋２０が設けられる。また、組立屋根１が水平であって下側の領域には、水平桁材１５の端部近傍に水平排水口１５ｂが形成され、それと連通する雨樋２０及び排水管２１が設けられる。
【００１６】
桁材１０の排水溝１０ａのうち排水口１０ｂより上側領域に導かれた水は、傾斜する排水溝１０ａに沿って流れ落ち、傾斜した領域に設けられる排水口１０ｂから雨樋２０及び排水管２１を介して外部に排水される。一方、桁材１０の排水溝１０ａのうち排水口１０ｂより下側領域に導かれた水は、傾斜する排水溝１０ａに沿って流れ落ち、排水溝１０ａと連続する水平排水溝１５ａの端部近傍に設けられる水平排水口１５ｂから雨樋２０及び排水管２１を介して外部に排水される。
【００１７】
図３には、組立屋根１の傾斜部分における排水口１０ｂ付近の拡大側面図を示している。この図に示すように、桁材１０に対して連結される垂木１１は、固定ブラケット１４を介して桁材１０の側面に連結される。また、垂木１１は断面中空状に形成されており、上面には取付部１１ａが形成されている。取付部１１ａに対しては垂木１１の上面を覆うような形状に形成された押さえ材１３がネジ止め固定される。そして、垂木１１と押さえ材１３によってパネル１２の周縁部の両面を挟持し、垂木１１間のパネル１２を固定する。
【００１８】
桁材１０には前述のように長手方向に沿って排水溝１０ａが形成されており、支柱２の近傍であって下方側の下面には排水口１０ｂが形成されている。また、排水溝１０ａには排水口１０ｂの下方側近傍にブロック状の止水部品３０が設けられて、上方から流れてくる水を堰き止めるようにしている。
【００１９】
図４には、止水部品３０の取付位置における桁材１０の断面図を示している。この図に示すように、止水部品３０は排水溝１０ａと略同幅であって、それに略適合する形状とされている。一方、止水部品３０は排水溝１０ａの下面から所定間隔浮いた状態で取付けられている。すなわち、止水部品３０と排水溝１０ａの下面との間には隙間３１が設けられている。
【００２０】
止水部品３０と排水溝１０ａの下面との間に設けられる隙間３１は、止水部品３０の排水口１０ｂ側面に上方からの水を堰き止めることができる程度になるように設定する。これによって、止水部品３０と排水溝１０ａの下面との間の隙間３１からは、止水部品３０によって堰き止められた水のうち一部が流れ、その他の大部分の水は、排水口１０ｂに導かれて外部に排水される。
【００２１】
このように止水部品３０を排水溝１０ａの下面から所定間隔浮いた状態で取付けて、隙間３１を設けたことにより、排水溝１０ａを水が流れなくなった際に、止水部品３０の排水口１０ｂ側面に水が溜まった状態とすることがなく、この際における水漏れ等を防止することができる。
【００２２】
止水部品３０と排水溝１０ａの下面との間の隙間３１から下方に流れた水は、水平排水口１５ｂから外部に排水される。水平排水口１５ｂは、組立屋根１の水平部分に設けられているので、傾斜部分に設けられる排水口１０ｂと異なり、その近傍に止水部品３０は設けられておらず、したがって止水部品３０に堰き止められた水がそのまま溜まった状態で残ることもない。
【００２３】
このように、組立屋根１の傾斜部分の下端部に水平部分を設けて、その領域の水平桁材１５に水平排水口１５ｂを設けているので、排水口１０ｂ近傍の止水部品３０で、排水溝１０ａの下面との間に隙間３１を設けて水を下方に流すようにしても、水平排水口１５ｂから水を溜めることなく、外部に排水することができる。
【００２４】
以上、本発明の実施形態について示したが、本発明の適用は本実施形態には限られず、その技術的思想の範囲内において様々に適用されうるものである。例えば、組立屋根１の長さ及び幅については、本実施形態のものに限られず、どのようなものであってもよい。また、本実施形態では左右の支柱２によって両側から組立屋根１を支持するものを示したが、左右いずれか片方の支柱２によって片側から組立屋根１を支持するものであってもよい。
【図面の簡単な説明】
【００２５】
【図１】本実施形態における組立屋根を用いた渡り廊下屋根の正面図である。
【図２】本実施形態における組立屋根を用いた渡り廊下屋根の側面図である。
【図３】組立屋根の傾斜部分における排水口付近の拡大側面図である。
【図４】止水ブロックが設けられる部分の桁材の断面図である。
【符号の説明】
【００２６】
１    組立屋根
２    支柱
１０    桁材
１０ａ  排水溝
１０ｂ  排水口
１１    垂木
１１ａ  取付部
１２    パネル
１３    押さえ材
１４    固定ブラケット
１５    水平桁材
１５ａ  水平排水溝
１５ｂ  水平部排水口
２０    雨樋
２１    排水管
３０    止水部品
３１    隙間
【図１】
0004659637.tif 000002
【図２】
0004659637.tif 000003
【図３】
0004659637.tif 000004
【図４】
0004659637.tif 000005